(57)【要約】  【課題】各種パラメータを設定するためのスイッチやホイールなどの操作子のうち無効にしたい操作子を部分的に容易に無効に設定でき、操作子の機能を適宜選択して活用しつつ意図しない楽音が発生されるのを防ぐ。  【解決手段】ロックスイッチ３−８は、ロックを設定／解除（オン／オフ）するためのロックスイッチ３−８と、複数のロックタイプの中から必要なロックタイプを選択するパラメータ値選択用アップ／ダウンスイッチ(VALUE)３−１３を有する。ロックタイプにはホイールロック、パネルロック、エックスプレッションペダルロック、フットスイッチロックなどがある。どのタイプのロックを有効とするかはパラメータ値選択用アップ／ダウンスイッチ(VALUE)３−１３で選択される。現在のロックタイプはＬＣＤ３−１２で表示される。  【選択図】図１
2006201349.tif 000002
【特許請求の範囲】
【請求項１】
パネルスイッチ、ホイール、エックスプレッションペダル、フットスイッチのうちの少なくとも２つの操作部を有する電子楽器のロック装置において、
パネルスイッチ、ホイール、エックスプレッションペダル、フットスイッチのうちの少なくとも２つの操作部を個別にロック範囲として設定するための設定手段と、
ロックの設定および解除を行うためのロックスイッチとを備え、前記設定手段によりロック範囲を設定し、前記ロックスイッチによりロックの設定および解除を行うことを特徴とする電子楽器のロック装置。
【請求項２】
ロックされた操作部についてのパラメータは、ロック状態に設定された時点の該操作部の操作状態に対応するパラメータに固定されることを特徴とする請求項１に記載の電子楽器のロック装置。
【請求項３】
表示部を備え、ロックされている操作部が操作された場合、前記表示部は該操作部がロック状態にある旨を表示することを特徴とする請求項１または２に記載の電子楽器のロック装置。
【請求項４】
レジストレーションスイッチとレジストレーション登録部を備え、各操作部を個別にロックするためのロック情報を前記レジストレーションスイッチのそれぞれと対応させて前記レジストレーション登録部に登録し、前記レジストレーションスイッチが操作されたとき、対応するレジストレーション登録部からロック情報が呼び出して対応する操作部をロックすることを特徴とする請求項１ないし３のいずれかに記載の電子楽器のロック装置。
【発明の詳細な説明】
【技術分野】
【０００１】
本発明は、電子楽器のロック装置に関し、特に、各種パラメータを設定するためのパネルスイッチやホイールなどが誤って操作されて演奏者の意図しない楽音が発生されることを無くすことができる電子楽器のロック装置に関する。
【背景技術】
【０００２】
電子楽器には、ステージ演奏で使用されたりライブ演奏で使用されたりするステージピアノというジャンルの電子楽器がある。この電子楽器には、各種パラメータを設定するためのパネルスイッチ、ピッチやモジュレーションをコントロールするためのホイール、さらにはエックスプレッションを足でコントロールするためのエックスプレッションペダル(Expression Pedal) やフットスイッチ(Foot Switch)などが備えられている。
【０００３】
電子楽器において、このように各種パラメータを設定するためのパネルスイッチやホイール、エックスプレッションペダルやフットスイッチなどの操作子を備えることは、表現が豊かで効果的な演奏を行う上で好ましいものである。
【０００４】
電子楽器において音色変更に伴って演奏者が望まないようにエフェクトのパラメータが変更されないようにすることが特許文献１で提案されている。これでは、レジストデータによってエフェクト設定情報が設定されている間、このエフェクト設定情報を音色選択スイッチによって選択されるエフェクト設定情報に対して優先させることにより、レジストデータを展開してエフェクト設定情報により設定したエフェクトが音色変更によって変更されるのを防止するようにしている。
【０００５】
電子楽器の一部機能を必要に応じて無効にすると共にプリセット情報に基づく制御を可能にすることにより初級演奏者が容易に演奏できるようにした電子楽器も特許文献２で提案されている。
【特許文献１】特開２００３−４４０４９号公報
【特許文献２】特公昭６２−７５５９号公報
【発明の開示】
【発明が解決しようとする課題】
【０００６】
電子楽器において各種パラメータを設定するためのパネルスイッチやホイール、エックスプレッションペダルやフットスイッチなどの操作子を備えることは、効果的な演奏を行う上では好ましいものであるが、逆にマイナスになる面もある。例えば、ライブ演奏の場合、演奏者は激しい動きの中で演奏を行うことが多く、ついパネルスイッチやホイールなどの操作子に触れて演奏者の意図しない音色に変わってしまったり、調整済みのバランスが変わってしまったりすることがある。音色をピアノに設定した場合にはビブラートがかからないようにして演奏を行うのが普通であるが、演奏者がモジュレーションホイールに誤って触れてしまうとビブラートが付加されてしまう。
【０００７】
特許文献１、２で提案されているように、電子楽器の一部機能を無効にするというだけでは、パネルスイッチ、ホイール、エックスプレッションペダル、フットスイッチなどの操作子の機能を適宜選択して活用しつつ、演奏中には固定しておきたい操作子の誤操作を無くすことはできない。
【０００８】
本発明の目的は、上記課題を解決し、電子楽器において各種パラメータを設定するためのスイッチやホイールなどの操作子のうち無効にしたい操作子を部分的に容易に無効に設定でき、操作子の機能を適宜選択して活用しつつ意図しない楽音が発生されるのを防ぐことができる電子楽器のロック装置を提供することにある。
【課題を解決するための手段】
【０００９】
上記目的を達成するために、本発明は、パネルスイッチ、ホイール、エックスプレッションペダル、フットスイッチのうちの少なくとも２つの操作部を有する電子楽器のロック装置において、パネルスイッチ、ホイール、エックスプレッションペダル、フットスイッチのうちの少なくとも２つの操作部を個別にロック範囲として設定するための設定手段と、ロックの設定および解除を行うためのロックスイッチとを備え、前記設定手段によりロック範囲を設定し、前記ロックスイッチによりロックの設定および解除を行う点に第１の特徴がある。
【００１０】
また、ロックされた操作部についてのパラメータが、ロック状態に設定された時点の該操作部の操作状態に対応するパラメータに固定される点に第２の特徴がある。
【００１１】
また、表示部を備え、ロックされている操作部が操作された場合、前記表示部が該操作部がロック状態にある旨を表示する点に第３の特徴がある。
【００１２】
さらに、レジストレーションスイッチとレジストレーション登録部を備え、各操作部を個別にロックするためのロック情報を前記レジストレーションスイッチのそれぞれと対応させて前記レジストレーション登録部に登録し、前記レジストレーションスイッチが操作されたとき、対応するレジストレーション登録部からロック情報が呼び出して対応する操作部をロックする点に第４の特徴がある。
【発明の効果】
【００１３】
本発明の第１の特徴によれば、複数に分けられたロックタイプをそれぞれ独立に設定することができるので、操作子の機能を適宜選択して活用しつつ演奏者の意図しない楽音が発生されないようにすることができる。
【００１４】
また、第２の特徴によれば、パラメータを任意の固定値とした演奏とそれを変更できる状態での演奏とに容易に切り換えることができる。
【００１５】
また、第３の特徴によれば、操作子の操作無効がロックオンによるものか装置不具合によるものかを容易に認識することができる。
【００１６】
さらに、第４の特徴によれば、レジストレーションの呼出操作という簡単な操作でロック設定することができる。
【発明を実施するための最良の形態】
【００１７】
以下、図面を参照して本発明を説明する。図１は、本発明が適用された電子楽器の一実施形態を示すブロック図である。同図において、ＭＰＵ１は、ＲＯＭおよびＲＡＭを内蔵し、ＲＯＭに格納されている制御プログラムに従って電子楽器全体の制御を行う。ＲＯＭは、制御プログラムの他、複数の音色パラメータやエフェクトについてのパラメータなど、演奏状態を設定するための各種パラメータを記憶している。ＲＡＭは、ＭＰＵ１のワークエリアとして使用され、また、各種レジスタのデータを一時記憶するバッファとしても使用される。このＲＡＭは、例えばバッテリによりバックアップされていてもよい。
【００１８】
ＭＰＵ１は、タイマ割り込み回路の他、ＭＩＤＩインタフェース(MIDIin，MIDIout)２−１、２−２との接続用シリアルポートも備えている。ＭＩＤＩインタフェース２−１、２−２は、外部ＭＩＤＩ機器との間においてＭＩＤＩメッセージのやり取りを行う信号送受信回路である。
【００１９】
操作パネル３は、演奏時の状態を設定するための各種パネルスイッチを有し、後述するような外観構成を有する。パネルインタフェース(I/F)４は、操作パネル３をスキャンしてパネルスイッチのオン／オフを示すスイッチイベント情報を生成し、また、操作パネル３に配置されたＬＣＤなどのディスプレイ（以下、ＬＣＤと称す。）をドライブしてＭＰＵ１からの各種設定情報などを表示させる。スイッチイベント情報は各パネルスイッチに対応付けられてＭＰＵ１のＲＡＭに記憶される。
【００２０】
キーボード（鍵盤）５は複数のキー（鍵）を有し、それぞれのキーのオン／オフを示すキーイベント情報や押鍵強さつまりベロシティを示すタッチ情報を検知するための、例えば２つのセンサを有している。キーボードＩ／Ｆ６は、前記センサをスキャンしてその状態に基づくキーイベント情報やタッチ情報を生成する。これらの情報はキーナンバに対応付けられてＭＰＵ１のＲＡＭに記憶される。
【００２１】
エックスプレッションペダル７の操作によるイベント情報はＡ／Ｄ変換器８でデジタル情報に変換された後、ＭＰＵ１のＲＡＭに記憶される。フットスイッチ９の操作によるオン／オフのイベント情報もＭＰＵ１のＲＡＭに記憶される。
【００２２】
ＲＡＭに記憶されたイベント情報は適宜トーン発生器１０に入力される。トーン発生器１０は、波形読み出し方式によりイベント情報に基づく楽音信号を発生する回路であり、デジタル楽音波形サンプル値が記憶されている波形メモリから、発音すべき音高に比例したアドレス間隔で順次波形データを読み出し、補間演算を行って楽音波形信号を発生させる。また、トーン発生器１０は、エンベロープ発生回路を有し、設定されたエンベロープパラメータに基づいて発生したエンベロープ信号を楽音波形信号に乗算してエンベロープを付与し、楽音信号を出力する。トーン発生器１０は、複数、例えば３２の楽音発生チャネルを有しているが、実際には、１つのトーン発生器を時分割多重動作させることにより同時に複数の楽音信号を独立して発生可能に構成されている。
【００２３】
エフェクタ１１はＤＳＰ(Digital Signal Processor)を備え、操作パネル３の操作に従って、トーン発生器１０で発生された楽音に対してリバーブ、エコーなどの各種エフェクトを付与することができる。
【００２４】
Ｄ／Ａ変換器１２はデジタル楽音信号をアナログ信号に変換するものであり、このアナログ信号がサウンドシステム１３に与えられて楽音が出力される。
【００２５】
図２は、操作パネル３の外観構成を示す正面図である。この操作パネル３は、ホイール（ピッチベンドコントロール用、モジュレーションコントロール用）３−１、メインボリューム３−２、キーボード５における発音鍵域の設定を有効／無効（オン／オフ）にするためのゾーンオン／オフスイッチ３−３、発音鍵域の設定を可能するためのゾーンセレクトスイッチ３−４、発音鍵域での音量を調整するための音量バランス調整用ボリューム３−５、内部出力(INT)および外部出力(EXT)表示用ＬＥＤ３−６を有する。ゾーンオン／オフスイッチ３−３とゾーンセレクトスイッチ３−４と音量バランス調整用ボリューム３−５と内部出力(INT)および外部出力(EXT)表示用ＬＥＤ３−６は、ここでは４系列配置されており、これにより４つの発音鍵域を個別に設定することができる。ゾーンオン／オフスイッチ３−３とゾーンセレクトスイッチ３−４はＬＥＤを内蔵し、現在それがオンかオフかをその点灯、消灯で知らせる。
【００２６】
操作パネル３は、さらに、エフェクトやイコライザやトーンモディファイやＭＩＤＩ ＣＣ(Control Change)パラメータ設定用スイッチ群３−７、ロックスイッチ３−８、エフェクトオン／オフスイッチ３−９、リバーブオン／オフスイッチ３−１０、メニュー表示用アップ／ダウンスイッチ(MENU)３−１１、ＬＣＤ３−１２、パラメータ値選択用アップ／ダウンスイッチ(VALUE)３−１３、音色設定用スイッチ３−１４、レジスト選択および呼出用スイッチ３−１５、レジスト登録用スイッチ３−１６を有する。ＬＣＤ３−１２は、例えば２×１６文字を表示することができる。
【００２７】
電子楽器では電源投入時などの初期状態においては最もシンプルなモードの標準状態、すなわち、ノーマルモードの標準状態に設定されるのが普通であるが、操作パネル３におけるスイッチを操作することによりそれとは異なる設定状態や演奏モードにすることができる。その際のメニューや操作指示や設定状態はＬＣＤ３−１２に表示される。
【００２８】
例えば、ゾーンオン／オフスイッチ３−３のうち系列１のＳＷ１をオンすると、系列１に対して設定されている発音鍵域が有効になり、その旨をＳＷ１内蔵のＬＥＤが点灯して知らせる。また、系列１に対して現在設定されている音色がＬＣＤ３−１２に表示される。ここで、系列１のゾーンセレクトスイッチＳＷ１’を短時間押してオンすれば系列１に対して現在設定されている音色がＬＥＤ３−１２に表示され、長押しすれば系列１に対して設定されている発音鍵域（ゾーン）がＬＣＤ３−１２に表示される。また、ＳＷ１’を押したままキーボード５の２つのキーを順次押鍵すれば、両キー間の鍵域が新たな発音鍵域として設定される。
【００２９】
なお、発音鍵域がキーボード５の全鍵域である場合、ＳＷ１内蔵のＬＥＤは赤色で点灯し、一部鍵域である場合にはそのＬＥＤは緑色で点灯する。これにより、ＳＷ１を押した段階で、系列１に対して設定されている発音鍵域がキーボード５の全鍵域であるか一部鍵域であるかを認識できる。また、ＳＷ１内蔵のＬＥＤがオフでえ系列１の設定が無効にされている状態でもＳＷ１’をオンすることにより系列１に対して現在設定されている発音鍵域をＬＣＤ３−１２で確認でき、その変更もできる。他のゾーンオン／オフスイッチＳＷ２〜ＳＷ４の系列２〜４においても同様である。
【００３０】
ここで、キーボードの全鍵域を例えば系列１、２に分割し、異なる音色を割り当てればＳＷ１、ＳＷ２の両者をオンとすることによりスプリットモードでの演奏が可能になる。また、ＳＷ１、ＳＷ２に重複する発音鍵域を設定すればＳＷ１、ＳＷ２の両者をオンとすることにより重複部分のキーを使用してデュアルモードでの演奏が可能になる。
【００３１】
ロックスイッチ３−８は、ロックを設定／解除（オン／オフ）するために操作される。ロックには複数のロックタイプ、例えばホイールロック、パネルロック、エックスプレッションペダルロック、フットスイッチロックがある。ホイールロックではホイール３−１の操作が無効にされ、パネルロックではパネルスイッチ３−３〜３−１１、３−１３〜３−１６の操作が無効にされ、エックスプレッションペダルロックではエックスプレッションペダル７の操作が無効にされ、フットスイッチロックではフットスイッチ９の操作が無効にされる。どのタイプのロックを有効とするかはパラメータ値選択用アップ／ダウンスイッチ(VALUE)３−１３で選択される。
【００３２】
ロックスイッチ３−８を操作してロックオンにすると現在のロックタイプがＬＣＤ３−１２で表示される。例えば現在のロックタイプがパネルロックであるとすると、ＬＣＤ３−１２には「Lock Type 1:Panel Lock」が表示される。このときロックスイッチ３−８を再度操作してロックオフとすればパネルロックは解除される。
【００３３】
ロックタイプの変更は、ロックスイッチ３−８とパラメータ値選択用アップ／ダウンスイッチ(VALUE)３−１３で行うことができる。例えばパネルロックからホイールロックへの変更は、現在のロックタイプ「Lock Type 1:Panel Lock」を呼び出し、パラメータ値選択用アップ／ダウンスイッチ(VALUE)３−１３でロックタイプ「Lock Type 2:Wheel Lock」を選択すればよい。その他、エックスプレッションペダルロックやフットスイッチロックへの変更も、パラメータ値選択用アップ／ダウンスイッチ(VALUE)３−１３により「Lock Type 3:Expression Pedal Lock」、「Lock Type 4:Foot Switch Lock」を選択すればよい。
【００３４】
なお、上記ロックタイプの１つに限らず、それらを複数組み合わせてロック範囲とすることができるようにすることが好ましい。これにより簡単な操作で必要部分を適宜選択してロックすることができる。どのようにロック範囲を決めるかも任意である。キーボード５やメインボリューム３−２以外の全ての操作子のロックを可能にするようにすることも好ましくい。
【００３５】
パネルロックの状態で操作パネル３のパネルスイッチが操作されると、ＬＣＤ３−１２は、現在パネルロック状態にある旨を表示する。さらに必要ならばその操作を有効にするにはパネルロックを解除する必要がある旨を表示する。これにより演奏者は、操作パネル３のスイッチ操作が有効にならないのはパネルロックによるものであることを容易に認識でき、装置不具合と区別できる。これをＬＣＤ３−１２以外のＬＥＤなどの表示器で報知させることもできる。
【００３６】
ロック設定された場合、ロックされた操作部についてのパラメータは、ロック状態に設定された時点の該操作部の操作状態に対応するパラメータに固定するようにすることができる。例えば、ホイールロックの場合、ホイールロックがなされたときのホイール３−１の設定状態のパラメータが固定値として設定される。このようにすることにより、ロックスイッチ３−８のオン／オフでピッチベンドやモジュレーションを任意の固定値とした演奏とそれを変更できる状態での演奏とに容易に切り換えることができる。
【００３７】
また、エックスプレッションペダルロックの場合にも、エックスプレッションペダル７のある位置でロック操作すれば、ロックスイッチ３−８のオン／オフでロック状態での固定値の音量での演奏とペダルによりコントロールし得る音量での演奏とに容易に切り換えることができる。
【００３８】
図３および図４は、ＭＰＵ１でメインルーチンの一例を示すフローチャートであり、ここでは特にロック処理について詳細に示している。まず、電源が投入されたとき、ＭＰＵ１、トーン発生器１０を構成するＬＳＩ等を初期化する（Ｓ３１）。次に、ロック機能のオン／オフおよび割り当て変更処理を実行する（Ｓ３２）。この処理の詳細は後述する。次に、ロックスイッチ３−８以外のパネルスイッチのオンイベントの有無を判定する（Ｓ３３）。Ｓ３３でオンイベント有りと判定されれば、ロックオンか否かを判定し（Ｓ３４）、ここでロックオンと判定された場合にはさらにパネルロックがオンであるか否かを判定する（Ｓ３５）。Ｓ３５でパネルロックがオンであると判定されれば、ＬＣＤ３−１２でパネルロックがオン状態である旨を所定時間（例えば１秒間）割込表示させるとともに、Ｓ３３で判定されたオンイベントを無効にする（Ｓ３６）。Ｓ３５でパネルロックがオンでないと判定されれば、ゾーンオン／オフスイッチ処理（Ｓ３７）、ゾーンセレクトスイッチ処理（Ｓ３８）、その他のパネルスイッチ処理（Ｓ３９）を順次実行する。
【００３９】
ゾーンオン／オフスイッチ処理（Ｓ３７）およびゾーンセレクト処理（Ｓ３８）では、系列１〜４に対して設定されているパラメータを有効としたり、該パラメータを設定し直したりする。これらの処理の詳細は後述する。その他のパネルスイッチ処理（Ｓ３９）は従来の電子楽器でのパネルスイッチ処理と同様である。
【００４０】
Ｓ３３でロックスイッチ３−８以外のパネルスイッチのオンイベント無しと判定された場合およびＳ３６、Ｓ３９の処理後には、続いてホイール３−１のイベントの有無を判定する（Ｓ４０）。Ｓ４０でイベント有りと判定されれば、ロックロックオンか否かを判定し（Ｓ４１）、ここでロックオンと判定された場合にはさらにホイールロックがオンであるか否かをを判定する（Ｓ４２）。Ｓ４２でホイールロックがオンであると判定されれば、ＬＣＤ３−１２にホイールロックがオン状態である旨を所定時間表示するとともに、Ｓ４０で判定されたイベントを無効にする（Ｓ４３）。Ｓ４２でホイールロックがオンでないと判定されれば、ホイール処理（Ｓ４４）を実行する。
【００４１】
Ｓ４０でホイールのイベント無しと判定された場合およびＳ４３、Ｓ４４の処理後には、続いてエックスプレッションペダル７のイベントの有無を判定する（Ｓ４５）。Ｓ４５でイベント有りと判定されれば、ロッククオンか否かを判定し（Ｓ４６）、ここでロックオンと判定された場合にはさらにエックスプレッションペダルロックがオンであるか否かをを判定する（Ｓ４７）。Ｓ４７でエックスプレッションペダルロックがオンであると判定されれば、ＬＣＤ３−１２にエックスプレッションペダル７がオン状態である旨を所定時間表示するとともに、Ｓ４５で判定されたイベントを無効にする（Ｓ４８）。Ｓ４７でエックスプレッションペダルロックがオンでないと判定されれば、エックスプレッション処理（Ｓ４９）を実行する。
【００４２】
Ｓ４５でエックスプレッションペダル７のイベント無しと判定された場合およびＳ４８、Ｓ４９の処理後には、続いてフットスイッチ９のイベントの有無を判定する（Ｓ５０）。Ｓ５０でイベント有りと判定されれば、ロックオンか否かを判定し（Ｓ５１）、ここでロックオンと判定された場合にはさらにフットスイッチロックがオンであるか否かをを判定する（Ｓ５２）。Ｓ５２でフットスイッチロックがオンであると判定されれば、ＬＣＤ３−１２にフットスイッチ９がオン状態である旨を所定時間表示するとともに、Ｓ５０で判定されたイベントを無効にする（Ｓ５３）。Ｓ５２でフットスイッチロックがオンで無いと判定されれば、フットスイッチ処理（Ｓ５４）を実行する。
【００４３】
Ｓ５０でフットスイッチ９のイベント無しと判定された場合およびＳ５３、Ｓ５４の処理後には、キーボード５のキースイッチイベントの有無を判定する（Ｓ５５）。Ｓ５５でキースイッチイベント有りと判定されれば、系列毎に内部出力／外部出力(INT/EXT)および発音範囲をチェックし、そのチェック結果に従って発音処理やMIDI OUT処理を実行する（Ｓ５６）。Ｓ５５でキースイッチイベント無しと判定された場合およびＳ５６の処理後には、操作パネル３の各ボリューム処理を実行し（Ｓ５７）、Ｓ３２に戻る。
【００４４】
図５は、ロック機能のオン／オフおよび割り当て変更処理（Ｓ３２）を示すフローチャートである。まず、ロックスイッチ３−８のオンイベントの有無を判定し（Ｓ５８）、無いと判定されればこの処理を抜けるが、有る判定されれば現在ロックがオフであるか否かを判定する（Ｓ５９）。ここで現在ロックがオンでない、つまりオンであると判定されれば、ロックオンをロックオフに変更した（Ｓ６０）後、この処理を抜ける。なお、このときロックスイッチ３−８内蔵のＬＥＤを消灯させる。
【００４５】
Ｓ５９で現在ロックがオフであると判定されれば、ロックオンにする（Ｓ６１）とともに、ＬＣＤ３−１２に現在のロックタイプを表示する（Ｓ６２）。次に、パラメータ値選択用アップ／ダウンスイッチ(VALUE)３−１３のオンイベントの有無を判定し（Ｓ６３）、オンイベント無しと判定されればこの処理を抜けるが、有ると判定されれば該イベントに従ってロックタイプを変更し、それを記憶するとともにＬＣＤ３−１２に表示する（Ｓ６４）。その後、この処理を抜ける。
【００４６】
図６は、ゾーンオン／オフスイッチ処理（Ｓ３７）を示すフローチャートである。まず、ゾーンオン／オフスイッチ３−３のオンイベントの有無を判定し（Ｓ６５）、オンイベント有りと判定されれば、オンイベント有りの系列のゾーンセレクトスイッチ３−４内蔵のＬＥＤを点灯し、他の系列のゾーンセレクトスイッチ３−４内蔵のＬＥＤを消灯する（Ｓ６６）。次に、オンイベントの系列のナンバ(No.・・)とその音色名をＬＣＤ３−１２に表示し（Ｓ６７）、オンイベントの系列のゾーンオン／オフスイッチ３−３内蔵のＬＥＤを点灯する（Ｓ６８）。ここで、ＬＥＤは、発音範囲がキーボード５の全領域ならば赤色で点灯させ、一部領域ならば緑色で点灯させる。
【００４７】
Ｓ６５でオンイベント無しと判定された場合には、ゾーンオン／オフスイッチ３−３のオフイベントの有無を判定する（Ｓ６９）。ここでオフイベント無しと判定されればこの処理を抜けるが、有りと判定されれば他の系列の少なくとも１つのゾーンオン／オフスイッチ３−３内蔵のＬＥＤが点灯しているか否か、つまり他の系列がオンであるか否かを判定する（Ｓ７０）。Ｓ７０で他の系列がオンでないと判定されればこの処理を抜けるが、オンであると判定されればオン中の系列の中で系列ナンバが小さい系列を選択し、該系列のゾーンセレクトスイッチ３−４内蔵のＬＥＤを点灯し（Ｓ７１）、さらに該系列の系列ナンバとその音色名をＬＣＤ３−１２に表示する（Ｓ７２）。
【００４８】
以上のように、ある系列のゾーンオン／オフスイッチ３−３のオンイベントに伴ってその系列の発音鍵域の設定を可能とし、オフイベントに伴って、オンにある他の系列の発音鍵域の設定を可能にするより、発音鍵域設定の際の操作性を向上させることができる。なお、ゾーンオン／オフスイッチ３−３のオフイベントに伴って、オン中の系列の中で系列ナンバが小さい系列を選択することとしたのは、ナンバの小さい系列が普通よく使われることが予測されるからであるが、どのような形態で系列を変更するかは適宜設定できる。
【００４９】
図７は、ゾーンセレクトスイッチ処理（Ｓ３８）を示すフローチャートである。まず、ゾーンセレクトスイッチ３−４のオンイベントの有無を判定し（Ｓ７３）、オンイベント有りと判定されれば、オンイベント有りの系列のゾーンセレクトスイッチ３−４内蔵のＬＥＤを点灯し、他の系列のゾーンセレクトスイッチ３−４内蔵のＬＥＤを消灯する（Ｓ７４）。次に、オンイベントの系列のナンバ(No.・・)とその音色名をＬＣＤ３−１２に表示する（Ｓ７５）。ここで、ＬＥＤが点灯しているゾーンセレクトスイッチ３−４の系列の音色は、音色設定用スイッチ３−１４により変更することができ、ゾーンセレクトスイッチ３−４を長押しして発音鍵域を変更することもできる。
【００５０】
Ｓ７３でオンイベント無しと判定された場合およびＳ７５の処理後には、ゾーンセレクトスイッチ３−４がオン中であるか否かを判定する（Ｓ７６）。ここでオン中でないと判定されればこの処理を抜けるが、オン中であると判定されれば、オン中に押鍵されたキーに基づいてその系列の発音範囲を設定する。このときＬＣＤ３−１２は新たに設定された発音範囲を表示する（Ｓ７７）。次に、その系列のゾーンオン／オフスイッチ３−３内蔵のＬＥＤが点灯しているか否か、つまりその系列がオンであるか否かを判定する（Ｓ７８）。Ｓ７８でオンでないと判定されればこの処理を抜けるが、オンであると判定されれば、ここで設定された発音範囲がキーボード５の全領域か一部領域かに従ってゾーンオン／オフスイッチ３−３内蔵のＬＥＤを赤色または緑色で点灯する（Ｓ７９）。
【００５１】
以上、実施形態を説明したが、本発明はこれに限られず、種々に変形することができる。例えば、ロックスイッチ３−８は、ロック設定以外の他の設定にも利用できる。これはロックスイッチ３−８を押圧した後にメニュー表示用アップ／ダウンスイッチ(MENU)３−１１を操作して他の設定用画面を順次表示させ、ここでパラメータ値選択用アップ／ダウンスイッチ(VALUE)３−１３でパラメータ値の選択操作を行うようにして実現できる。
【００５２】
また、ロックタイプをレジストレーションとして登録させることができる。上述のようにロックタイプを設定した後にレジスト選択および呼出用スイッチ３−１５のうちのレジスト選択用スイッチを押し、さらにレジスト登録用スイッチ３−１６を押せばよい。これにより例えばレジスト選択用スイッチ１、２、３、４のそれぞれに対してパネルロックタイプ、ホイールロックタイプ、エックスプレッションペダルロックタイプ、フットスイッチロックタイプをレジストレーションとして登録することができる。レジスト選択および呼出用スイッチ３−１５を操作すれば、登録されたロックタイプを呼び出して設定することができる。
【図面の簡単な説明】
【００５３】
【図１】本発明が適用された電子楽器の一実施形態を示すブロック図である。
【図２】操作パネルの外観構成を示す正面図である。
【図３】ＭＰＵでのメインルーチンの一例を示すフローチャートである。
【図４】図３のフローチャートの続きである。
【図５】ロック機能のオン／オフおよび割り当て変更処理を示すフローチャートである。
【図６】ゾーンオン／オフスイッチ処理を示すフローチャートである。
【図７】ゾーンセレクトスイッチ処理を示すフローチャートである。
【符号の説明】
【００５４】
１・・・ＭＰＵ、２−１，２−２・・・ＭＩＤＩインタフェース、３・・・操作パネル、３−１・・・ホイール、３−２・・・メインボリューム、３−３・・・ゾーンオン／オフスイッチ、３−４・・・ゾーンセレクトスイッチ、３−５・・・音量バランス調整用ボリューム、３−６・・・内部出力および外部出力表示用ＬＥＤ、３−７・・・エフェクトなどのパラメータ設定用スイッチ、３−８・・・ロックスイッチ、３−９・・・エフェクトオン／オフスイッチ、３−１０・・・リバーブオン／オフスイッチ、３−１１・・・メニュー表示用アップ／ダウンスイッチ、３−１２・・・ＬＣＤ、３−１３・・・パラメータ値選択用アップ／ダウンスイッチ、３−１４・・・音色設定用スイッチ、３−１５・・・レジスト選択および呼出用スイッチ、３−１６・・・レジスト登録用スイッチ、４・・・パネルインタフェース、５・・・キーボード（鍵盤）、６・・・キーボードインタフェース、７・・・エックスプレッションペダル、８・・・Ａ／Ｄ変換器、９・・・フットスイッチ、１０・・・トーン発生器、１１・・・エフェクタ、１２・・・Ｄ／Ａ変換器、１３・・・サウンドシステム
【図１】
2006201349.tif 000003
【図２】
2006201349.tif 000004
【図３】
2006201349.tif 000005
【図４】
2006201349.tif 000006
【図５】
2006201349.tif 000007
【図６】
2006201349.tif 000008
【図７】
2006201349.tif 000009